(57)【要約】【課題】  部品寸法の管理負担及び製造コストの低減を図りながら、カセット本体側へのバックリッドの嵌まり込みを防止する。【解決手段】  カセット本体４のバックリッド天蓋部１２Ａ側の上面に形成された傾斜面４ｔの少なくとも一部の領域を、カセット本体４の上面に対する当該傾斜面４ｔの傾斜角θ１より大きな傾斜角θ２を有する斜面部４１と、この斜面部４１の下端から天蓋部１２Ａの後端部１２ｅの下方に突出する平面部４２とを含む構成とし、天蓋部１２Ａがカセット本体４上面の開口部３１を閉塞した状態において、上記斜面部４１及び平面部４２が天蓋部１２Ａの後端部１２ｅに対してそれぞれ隙間を介して対向する位置関係とする。【選択図】        図５
2005196823.tif 000002
【特許請求の範囲】
【請求項１】
テープ状記録媒体が巻装されたテープリールを回転可能に収納したカセット本体と、このカセット本体に回動自在に取り付けられ、前記カセット本体の前部に形成されたテープローディング用の空間部を開閉するフロントリッドと、このフロントリッドに回動自在に取り付けられたバックリッドとを備え、
前記バックリッドは、前記カセット本体の前部上面に形成された開口部を開閉する天蓋部と、前記空間部に位置するテープ状記録媒体の背面側を保護する脚部とを有するテープカセットにおいて、
前記カセット本体の前記天蓋部側の上面の少なくとも一部の領域には、前記天蓋部の後端部に向かって下り傾斜となる斜面部と、この斜面部の下端から前記天蓋部の後端部下方に突出する平面部と、前記斜面部と前記平面部とを連接する曲面部とが形成されている
ことを特徴とするテープカセット。
【請求項２】
前記天蓋部の後端部であって前記斜面部及び前記平面部と対向する領域は、曲面形状に形成されている
ことを特徴とする請求項１に記載のテープカセット。
【請求項３】
前記天蓋部が前記開口部を閉塞した状態において、前記斜面部及び前記平面部は、前記天蓋部の後端部に対してそれぞれ隙間を介して対向している
ことを特徴とする請求項１に記載のテープカセット。
【請求項４】
前記天蓋部の後端部の下面には、前記平面部の縁部との干渉を回避するためのニゲ部が形成されている
ことを特徴とする請求項１に記載のテープカセット。
【請求項５】
前記カセット本体の前記天蓋部側の上面であって、前記斜面部が形成されていない領域には、前記天蓋部の後端部に向かって下り傾斜となる傾斜面が形成されており、前記斜面部は、前記傾斜面よりも前記カセット本体の上面に対する傾斜角が大きく形成されている
ことを特徴とする請求項１に記載のテープカセット。
【請求項６】
前記天蓋部の後端部の上面は、前記カセット本体に向かって下り傾斜とされている
ことを特徴とする請求項１に記載のテープカセット。
【請求項７】
前記カセット本体は、上シェルと下シェルとを互いにネジ結合して形成され、
前記斜面部及び前記平面部は、前記上シェルのネジ孔形成部位近傍に設けられている
ことを特徴とする請求項１に記載のテープカセット。
【請求項８】
前記斜面部及び前記平面部は、前記天蓋部両端の奥行き寸法が部分的に拡張された領域の対向位置に設けられている
ことを特徴とする請求項１に記載のテープカセット。
【請求項９】
前記斜面部及び前記平面部は、前記カセット本体の前部から突出形成され前記空間部を区画する一対のテープ引出し部の内隅部に相当する前記カセット本体の前記天蓋部側の上面に形成されている
ことを特徴とする請求項１に記載のテープカセット。
【請求項１０】
前記バックリッドには、前記天蓋部の前記開口部内への嵌まり込みを防止する補強部が設けられている
ことを特徴とする請求項１に記載のテープカセット。
【請求項１１】
前記補強部は、前記天蓋部の後端部の下面にリブを設けることによって形成されている
ことを特徴とする請求項１０に記載のテープカセット。
【発明の詳細な説明】
【技術分野】
【０００１】
本発明は、フロントリッド及びバックリッドを備えた構造のテープカセットに関し、更に詳しくは、カセット本体へのバックリッドの嵌まり込みを防止できるリッド周辺構造を有するテープカセットに関する。
【背景技術】
【０００２】
テープカセットは一般に、上シェルと下シェルとを互いに結合してなるカセット本体の内部に、テープ状記録媒体としての磁気テープを巻装した一対のテープリールを回転可能に収納して構成されている。そして、テープカセットにおいては、非使用時、カセット本体の前部に形成されたテープローディング用の空間部に位置する磁気テープをリッドで覆い、磁気テープを塵埃等の付着から保護する構造のものがある（下記特許文献１参照）。
【０００３】
図７Ａ，Ｂに従来のリッド付きのテープカセット１０１の構成を示す。図７Ａはリッド閉塞時を示し、図７Ｂはリッド開放時を示している。
【０００４】
リッド構体１１０は、フロントリッド１１１とバックリッド１１２の組合せ体で構成されており、上シェル１０２と下シェル１０３とを結合してなるカセット本体１０４に回動自在に取り付けられている。カセット本体１０４の前部には、テープローディング用の空間部（マウス部）１０７に磁気テープ１０５を架け渡すテープ引出し部１０８が設けられている。リッド構体１１０は空間部１０７を開閉し、閉塞時は、空間部１０７に位置する磁気テープ１０５の前面をフロントリッド１１１で保護し、磁気テープ１０５の背面をバックリッド１１２で保護する（図８）。
【０００５】
カセット本体１０４とリッド構体１１０との関係を図８及び図９に示す。図８はリッド閉塞時の側断面図、図９はリッド開放時の側断面図である。
【０００６】
フロントリッド１１１は、カセット本体１０４に対して、回動軸１２５を介して取り付けられており、テープローディング用の空間部１０７を開閉する。
【０００７】
バックリッド１１２は、カセット本体１０４の上面とフロントリッド１１１の上面との間に区画された開口部１３１を開閉する天蓋部１１２Ａと、空間部１０７に位置する磁気テープ１０５の背面側を保護する脚部１１２Ｂとを有している。脚部１１２Ｂは、軸部１３２とカムボス１３３とを備えている。軸部１３２はフロントリッド１１１の軸支持部１３４に支持されており、カムボス１３３はテープ引出し部１０８の側壁面に形成されたカム溝１３５に係合されている。
【０００８】
このような構成のテープカセット１０１は、フロントリッド１１１でテープローディング用の空間部１０７を閉じた状態にすると、図８に示したように、バックリッド１１２の天蓋部１１２Ａが開口部１３１を閉塞すると共に、バックリッド１１２の脚部１１２Ｂが空間部１０７内の磁気テープ１０５の背面側に位置し、フロントリッド１１１の内面との間で当該磁気テープ１０５を挟むようにしてこれを保護する。
【０００９】
また、空間部１０６を開いた状態にすると、フロントリッド１１１の開動作に連動してバックリッド１１２が軸部１３２を支点として回動すると同時にカムボス１３３がカム溝１３５に沿って上方移動し、図９に示したように、カセット本体１０４の上面にバックリッド１１２とフロントリッド１１１が重なり合って、磁気テープ１０５をローディング可能に露出させる。
【００１０】
以上の構成の従来のテープカセット１０１においては、カセット本体１０４のバックリッド１１２（天蓋部１１２Ａ）側の上面部は、天蓋部１１２Ａの後端部１１２ｅに向かって下り傾斜となる傾斜面１０４ｔとなっている。他方、天蓋部１１２Ａのカセット本体１０４側の上面部もまた、カセット本体１０４に向かって下り傾斜となる傾斜面１１２ｔとなっている。このため、カセット本体１０４とバックリッド１１２の境界部においては、図８に示したように、傾斜面１０４ｔ及び傾斜面１１２ｔにより、カセット本体１０４の上面に対して略Ｖ字型の凹み１０４ｖが形成されることになる。
【００１１】
これにより、テープカセット１０１は、カムボス１３３とカム溝１３５との間のクリアランスの影響等により、フロントリッド１１１が空間部１０７を閉塞した状態において、バックリッド１１２が図８に示したように開口部１３１を完全に閉塞する位置へ復帰せずに天蓋部１１２Ａがカセット本体１０４の上面から突出する事態が生じたとしても、記録再生装置のカートリッジ挿入部（図示略）と天蓋部１１２Ａとが互いに干渉してテープカセット１０４のイジェクト等が不能になることを回避することが可能となっている。
【００１２】
【特許文献１】特開平１０−２４１３３１号公報
【特許文献２】特開２００２−３１３０５４号公報
【発明の開示】
【発明が解決しようとする課題】
【００１３】
この種の従来のテープカセットにあっては、フロントリッド１１１及びバックリッド１１２によってテープローディング用の空間部１０７が閉塞されている状態において、落下衝撃等によりバックリッド１１２の天蓋部１１２Ａの後端部１１２ｅが開口部１３１への嵌まり込む方向（図８において下方向）へ押圧されると、天蓋部１１２Ａの後端部１１２ｅが開口部１３１へ噛み込み、天蓋部１１２Ａが開口部１３１から抜けなくなることがあった。それを防止するために、天蓋部１１２Ａの後端部１１２ｅの下面に補強リブ１３６を設け、後端部１１２ｅの変形を規制して開口部１３１内への嵌まり込みを阻止するようにしていた（上記特許文献１参照）。
【００１４】
ところが、フロントリッド１１１及びバックリッド１１２によって空間部１０７が閉塞されている状態においては、図８に示したように、天蓋部１１２Ａの後端部１１２ｅが開口部１３１の縁部に近接配置されているために、カセット本体１０４、バックリッド１１２又はこれを支持するフロントリッド１１１の僅かな寸法誤差、組付け精度のバラツキ、或いはそれらが複合的に影響し合うことによって、天蓋部１１２Ａの後端部１１２ｅと開口部１３１との間の相対位置にズレが生じ、位置関係によっては互いに干渉して天蓋部１１２Ａが開口部１３１内へ嵌まり込んだり、傾斜面１０４ｔへ噛み込んだりして、抜けなくなるおそれがあった。
【００１５】
このような問題を解消するためには、金型精度の向上や、カセット本体１０４、フロントリッド１１１、バックリッド１１２等の品質管理、寸法管理等を厳密に行う必要があるが、生産性、製造コスト等の観点からはあまりにも高い水準を求めることはできないし、現実的でもない。
【００１６】
そこで、本発明は上述の問題に鑑みてなされ、部品寸法の管理負担及び製造コストの低減を図りながら、開口部１３１へのバックリッド１１２の嵌まり込みや噛み込みを防止できるテープカセットを提供することを課題とする。
【課題を解決するための手段】
【００１７】
以上の課題を解決するに当たり、本発明のテープカセットは、カセット本体のバックリッド天蓋部側の上面の少なくとも一部の領域に、天蓋部の後端部に向かって下り傾斜となる斜面部と、この斜面部の下端から天蓋部の後端部下方に突出する平面部と、これら斜面部と平面部とを連接する曲面部とが形成されている。
【００１８】
このような構成を採ることにより、上記平面部と天蓋部の後端部とは上下方向に関して互いにオーバーラップしているので、バックリッドの嵌まり込み方向へ外力が作用したとしても、上記平面部と天蓋部の後端部との当接作用により、開口部内への天蓋部の嵌まり込みを阻止することができる。
【００１９】
また、バックリッドに外力が作用する等してカセット本体に対する天蓋部の相対位置が大きく変動し、斜面部と平面部との間に天蓋部後端部が突き当たったとしても、上記曲面部によって当該天蓋部後端部の突き当たり部分における噛み込みや引っ掛かりを回避し、これによりバックリッドの開動作に支障が生じたり、天蓋部後端部が破損したりして、テープカセットが機能不全に陥ることを阻止することができる。
【発明の効果】
【００２０】
以上述べたように、本発明のテープカセットによれば、カセット本体のバックリッド天蓋部側の上面の少なくとも一部の領域に、天蓋部の後端部に向かって下り傾斜となる斜面部と、この斜面部の下端から天蓋部の後端部下方に突出する平面部と、これら斜面部と平面部とを連接する曲面部とを形成したので、部品寸法の管理負担及び製造コストを低減させながらもバックリッドの嵌まり込みを阻止することができると共に、バックリッドの噛み込み等によるテープカセットの機能不全を防止して信頼性の向上を図ることができる。
【発明を実施するための最良の形態】
【００２１】
以下、本発明の実施の形態について図面を参照して説明する。
【００２２】
図１及び図２は本発明の実施の形態によるテープカセット１を示している。図１はテープカセット１の分解斜視図、図２はテープカセット１の平面図である。先ず、テープカセット１の全体構成について説明する。
【００２３】
テープカセット１は、例えば合成樹脂材料でなる上シェル２と下シェル３とを互いに結合してなるカセット本体４の内部に、テープ状記録媒体としての磁気テープ５を巻装した一対のテープリール６，６を左右に離間して回転可能に収納して構成されている。
【００２４】
カセット本体４の前部には、前方及び上下に開放されるテープローディング用の空間部（マウス部）７が形成されている。磁気テープ５は、この空間部７を横切るように、カセット本体４の前部から突出形成された一対の角筒状のテープ引出し部８，８間に架け渡されている。これら一対のテープ引出し部８，８は上シェル２と下シェル３とが互いに結合されることによって構成され、空間部７を区画し、その下シェル３側にはテープ走行領域を構成するテープガイド９，９がそれぞれ設けられている。
【００２５】
空間部７を横切る磁気テープ５は、非使用時、リッド構体１０により覆われており、磁気テープ５への塵埃の付着や手指の接触による油脂等の付着が防止されるようになっている。リッド構体１０は、磁気テープ５の前面側を覆うフロントリッド１１と、磁気テープ５の背面側を覆うバックリッド１２との組合せ体で構成されている。
【００２６】
一対のテープリール６，６はそれぞれ上リール１３と下リール１４との接合体でなり、下リール１４にはリールハブ１５が一体形成されている。磁気テープ５は、各テープリール６，６のリールハブ１５に対してクランパ１６を介して一体化されている。テープリール６，６の各々の下面には、図示しない記録再生装置のリール回転駆動軸に係合されるチャッキングギヤが形成されており、これらは下シェル３に穿設された開口１７，１７を介して外部へ露出されている。
【００２７】
カセット本体４の内部には、更に、リールロック部材１８、リールロックスプリング１９、一対のリールスプリング２０，２０、セイフティタブ２１、キャップ部材２２等が収納され、上シェル２の内面部には透明材料でなる窓部材Ｗが接合されている。
【００２８】
リールロック部材１８は、テープカセット１の非使用時、リールロックスプリング１９の付勢力を受けて、テープリール６，６（下リール１４，１４）の外周面に形成されているギヤに係合してテープリール６，６の回転を規制し、カセット本体４の内部における磁気テープ５の弛みを防止する。
【００２９】
リールスプリング２０，２０は上シェル２の内面側に取り付けられており、テープリール６，６の上面中央部を押圧している。そして、非使用時にはテープリール６，６を下シェル３側へ押し付けて当該テープリール６，６のガタツキを抑える。また、カセット使用時においてはテープリール６，６をリール回転駆動軸に押し付けて当該テープリール６，６の回転の安定化を図る。
【００３０】
セイフティタブ２１は、磁気テープ５に記録された情報の誤消去や誤記録を防止するためのもので、カセット本体４の背面側において記録可能位置と記録不可能位置との間をスライド自在に組み込まれている。
【００３１】
キャップ部材２２は、記録再生装置内においてカセット本体４の前面側中央の筒状部２３に挿入されるテープ検出用の発光体を覆う透明な部材であり、発光体からの照射光をテープ引出し部８，８の外面に設けられた検出窓２４へ導くレンズとして機能する。
【００３２】
次に、図３及び図４をも参照してリッド構体１０の詳細について説明する。図３は空間部７が閉塞された状態を示し、図４は空間部１０が開放された状態を示している。
【００３３】
リッド構体１０は、上述のようにフロントリッド１１とバックリッド１２との組合せ体でなり、カセット本体４に対して空間部７を開閉自在に取り付けられている。フロントリッド１１及びバックリッド１２はそれぞれ合成樹脂材料の射出成形体で形成されている。
【００３４】
フロントリッド１１は、その両端内面側に突出形成された回動軸２５のまわりに回動可能とされ、カセット非使用時はリッドスプリング２６の付勢力により空間部７を閉塞すると共に、リッドロック部材２７によって開放動作が規制されている。なお、回動軸２５は上シェル２側のテープ引出し部８の外面側に形成された支持孔３０に支持されている。
【００３５】
バックリッド１２は、カセット本体４の上面とフロントリッド１１の上面との間に区画された開口部３１を開閉する天蓋部１２Ａと、空間部７に位置する磁気テープ５の背面側を保護する脚部１２Ｂとを有している。脚部１２Ｂには、軸部３２とカムボス３３とが形成されている。軸部３２はフロントリッド１１の軸支持部３４に支持されており、カムボス３３はテープ引出し部８の側壁面に形成されたカム溝３５に係合されている。
【００３６】
このような構成のテープカセット１は、フロントリッド１１でテープローディング用の空間部７を閉じた状態にすると、図３に示したように、バックリッド１２の天蓋部１２Ａが開口部３１を閉塞すると共に、バックリッド１２の脚部１２Ｂが空間部７内の磁気テープ５の背面側に位置し、フロントリッド１１の内面との間で当該磁気テープ５を挟むようにしてこれを保護する。
【００３７】
また、空間部７を開いた状態にすると、フロントリッド１１の開動作に連動してバックリッド１２が軸部３２を支点として回動すると同時にカムボス３３がカム溝３５に沿って上方移動し、図４に示したように、カセット本体４の上面にバックリッド１２とフロントリッド１１が重なり合って、磁気テープ５をローディング可能に露出させる。
【００３８】
また、本実施の形態のテープカセット１においては、カセット本体４のバックリッド１２（天蓋部１２Ａ）側の上面部に、天蓋部１２Ａの後端部１２ｅに向かって下り傾斜となる傾斜面４ｔを有している。他方、天蓋部１２Ａのカセット本体４側の上面部もまた、カセット本体４に向かって下り傾斜となる傾斜面１２ｔとなっている。このため、カセット本体４とバックリッド１２の境界部においては、図３に示したように、傾斜面４ｔ及び傾斜面１２ｔにより、カセット本体４の上面に対して略Ｖ字型の凹み４ｖが形成されることになる。
【００３９】
フロントリッド１１が空間部７を閉塞した状態において、カムボス３３とカム溝３５との間のクリアランスの影響等により、バックリッド１２が図３に示したように開口部３１を完全に閉塞する位置へ復帰せずに天蓋部１２Ａがカセット本体４の上面から突出する事態（リッドの飛び出し現象）が生じる場合がある。このとき、バックリッド１２の傾斜面１２ｔは、記録再生装置のカートリッジ挿入部（図示略）と天蓋部１２Ａとの干渉を抑制し、テープカセット１のイジェクト等が不能になることを回避する機能を果たす。
【００４０】
一方、カセット本体４は、例えば上シェル２の反り等の影響により、その上面側外方へ膨出した状態で組まれる場合がある。このとき、カセット本体４の傾斜面４ｔは、記録再生装置のカートリッジ挿入部（図示略）とカセット本体１２との干渉を抑制し、記録再生装置へのテープカセット１の装着が不能になることを回避する機能を果たす。
【００４１】
ところで、カセット本体４上面の傾斜面４ｔと天蓋部１２Ａ上面の傾斜面１２ｔとは、図２に示したように相互に対向するように形成されている。また、図２に示すように、バックリッド１２の天蓋部１２Ａの左右両端部１２ｄ，１２ｄは、奥行き方向（図２において上下方向）の寸法が部分的に拡張されている。これら天蓋部１２Ａの左右両端部１２ｄ，１２ｄは、バックリッド１２全体として、カセット本体４に対する相対移動量が他の部位に比べて大きく、従ってバックリッド１２の寸法バラツキ、リッド構体１０の組立バラツキ等の影響を最も受ける部位であるために、カセット本体１４側との干渉が起こりやすい。
【００４２】
そこで、本実施の形態では、図２に示したように、カセット本体４上面の傾斜面４ｔのうち、天蓋部１２Ａの左右両端部１２ｄ，１２ｄにおける奥行き拡張領域の対向位置（テープ引出し部８の内隅部）に、以下に説明する斜面部４１と平面部４２とを形成することによって、カセット本体４と天蓋部１２Ａの後端部１２ｅとの間の相対位置のバラツキに起因するバックリッド１２の嵌まり込みを防ぐようにしている。
【００４３】
図５は、テープカセット１の上面のカセット本体４とバックリッド１２の天蓋部１２Ａとの境界部分を拡大して示している。
【００４４】
図５に示すように、斜面部４１は、カセット本体４（上シェル２）の上面に対する傾斜面４ｔの傾斜角θ１よりも大きな傾斜角θ２を有している。傾斜角θ２の大きさは特に限定されないが、天蓋部１２の後端部１２ｅと斜面部４１との間に一定以上の隙間を形成できる大きさに角度θ２を設定するのが好ましい。この隙間は、例えば、カセット本体４、バックリッド１２、フロントリッド１１等の構成部品の寸法バラツキ、フロントリッド１１とバックリッド１２との間の組付バラツキ等を原因とする斜面部４１及び後端部１２ｅ相互間の接触を回避できる大きさに設定される。
【００４５】
一方、平面部４２は、斜面部４１の下端から天蓋部１２Ａの後端部１２ｅ下方に突出するように形成されている。この平面部４２の突出量は、天蓋部１２Ａの後端部１２ｅに対して上下方向にＬ１だけオーバーラップする大きさとされている。Ｌ１の大きさは特に限定されないが、天蓋部１２Ａに対して図中下方向へ外力が作用した際に、天蓋部１２Ａの後端部１２ｅが平面部４２を乗り越えて開口部３１の内方にまで到達するのを阻止できる大きさにＬ１を設定するのが好ましい。
【００４６】
斜面部４１及び平面部４２を以上のように構成することにより、天蓋部１２Ａが開口部３１を閉塞した状態（フロントリッド１１が空間部７を閉塞した状態）において、斜面部４１及び平面部４２が、天蓋部１２Ａの後端部１２ｅに対してそれぞれ隙間を介して対向させることができる。
【００４７】
特に、本実施の形態では、天蓋部１２Ａの下面を平面部４２と同一高さレベルに配置する一方で、天蓋部１２Ａの後端部１２ｅの下面にニゲ４４を形成することによって平面部４２の縁部との干渉を回避するようにし、ニゲ４４の加工量Ｌ２で後端部１２ｅと平面部４２との間の隙間を規定するようにしている。
【００４８】
これにより、天蓋部１２Ａの上端がカセット本体４の上面からの突出を抑制しながら、後端部１２ｅと平面部４２との間に必要量の隙間Ｌ２を設定することができる。なお、本実施の形態では、天蓋部１２Ａの上端がカセット本体４の上面と同一高さ位置となるように隙間Ｌ２が規定されている。
【００４９】
また、本実施の形態では、斜面部４１と平面部４２との間が曲面部４３を介して連接されるようにしている。曲面部４３は一定曲率の曲面形状とする場合に限らず、段階的に曲率を異ならせた曲面形状であってもよい。
【００５０】
例えば、バックリッド１２に外力が作用する等してカセット本体４に対する天蓋部１２Ａの相対位置が大きく変動し、その後端部１２ｅが斜面部４１あるいは平面部４２に接触する事態が生じる場合がある。このとき、斜面部４１と平面部４２との間の境界部へ天蓋部後端部１２ｅが突き当たったとしても、曲面部４３の形成により、天蓋部後端部１２ｅの突き当たり部分（斜面部４１と平面部４２との境界部）における噛み込みや引っ掛かりを回避し、バックリッド１２の開動作に支障が生じたり後端部１２ｅが破損したりすることを阻止して、テープカセット１が機能不全に陥ることを防止できる。
【００５１】
なお、本実施の形態においては、上記曲面部４３を形成するだけでなく、鋭角をなす天蓋部１２Ａの後端部１２ｅであって斜面部４１及び平面部４２と対向する領域４５を曲面形状としている。これにより、上述の効果をより一層高めることができる。
【００５２】
さらに、バックリッド１２には、天蓋部１２Ａの下面から脚部１２Ｂの側面に跨って、補強リブ３６が形成されている。この補強リブ３６は、天蓋部１２Ａの後端部１２ｅの開口部３１内への嵌まり込みを防止する補強部として設けられており、本実施の形態では、天蓋部１２Ａの上記斜面部４１及び平面部４２と対向する部位に設けられている。
【００５３】
この補強リブ３６の形成により、天蓋部１２Ａの後端部１２ｅの開口部３１側への変形が規制されると共に、天蓋部１２Ａのカセット本体４側への変形時には当該補強リブ３６が開口部３１の内壁に当接して天蓋部１２Ａの過度な変形が抑制される。これらにより、天蓋部１２Ａの開口部３１内への嵌まり込み防止効果がより一層、高められる。
【００５４】
そして、本実施の形態によるテープカセット１においては、上シェル２と下シェル３とをネジ部材２９を介して結合することによりカセット本体４を形成している。このとき、上記斜面部４１及び平面部４２は、図３に示したように、上シェル２のネジ部材２９が螺合されるネジ孔３７の形成部位近傍に設けられている。
【００５５】
一般に、上、下シェル２、３のネジ結合位置は、カセット本体４の厚さ基準を構成し、非ネジ結合位置に比べて厚さ寸法のバラツキが発生しない部位である。そこで、バックリッド天蓋部１２Ａの後端部１２ｅに対向するカセット本体４の上面部４１及び平面部４２を各々カセット本体４のネジ結合位置近傍に設けることによって、これら斜面部４１及び平面部４２と天蓋部１２Ａの後端部１２ｅとの間に安定した相対位置関係を持たせることができる。つまり、斜面部４１及び平面部４２の形成部位においてカセット本体４の厚み寸法にバラツキがあると、天蓋部１２Ａの後端部１２ｅに対して平面部４２の相対位置が上下に変動し安定しなくなるが、本実施の形態の構成によりこれを抑制することができるようになる。
【００５６】
以上のように構成される本実施の形態のテープカセット１によれば、カセット本体４のバックリッド天蓋部１２Ａ側の上面のうち、天蓋部１２Ａの両端部１２ｄ，１２ｄに対応する領域に上述した構成の斜面部４１及び平面部４２を設け、天蓋部１２Ａがカセット本体４上面の開口部３１を閉塞した状態において、これら斜面部４１及び平面部４２が天蓋部１２Ａの後端部１２ｅに対してそれぞれ隙間を介して対向する位置関係に構成したので、天蓋部１２Ａの後端部１２ｅを斜面部４１及び平面部４２に対してそれぞれ前後方向及び上下方向に隙間をおいて対向させることができ、フロントリッド１１やバックリッド１２、カセット本体４の相互間の組付精度のバラツキ、寸法誤差等による位置関係の変動を当該隙間の範囲内で許容して、開口部３１への天蓋部１２Ａの嵌まり込みを阻止することができるようになる。これにより、部品寸法の管理負担及び製造コストの低減を図りながら、バックリッド１２の嵌まり込みによるテープカセット１の機能不全を防止して信頼性の向上を図ることができる。
【００５７】
また、平面部４２と天蓋部１２Ａの後端部１２ｅとは上下方向に関して距離Ｌ１だけオーバーラップしているので、バックリッド１２の嵌まり込み方向へ外力が作用したとしても、平面部４２と天蓋部１２Ａの後端部１２ｅとの当接作用により、開口部３１内への天蓋部１２Ａの嵌まり込みを阻止することができる。
【００５８】
以上、本発明の実施の形態について説明したが、勿論、本発明はこれに限定されることなく、本発明の技術的思想に基づいて種々の変形が可能である。
【００５９】
例えば以上の実施の形態では、本発明に係る斜面部４１及び平面部４２を、バックリッド天蓋部１２Ａの左右両端部１２ｄ，１２ｄに対応するカセット本体上面位置に形成したが、これに限らず、他の位置に形成してもよいし、天蓋部１２Ａの後端部１２ｅと対向する全ての領域に形成してもよい。
【００６０】
また、斜面部４１は、図６に示すように、傾斜面４ｔ上に形成することも可能である。この場合も、カセット本体４の上面に対する斜面部４１の傾斜角θ２を傾斜面４ｔの傾斜角θ１よりも大きくする。これにより、当該斜面部４１と天蓋部１２Ａの後端部１２ｅとの間に所定の隙間を形成することができる。なお、図において図５と対応する部分については同一の符号を付し、その詳細な説明は省略する。
【図面の簡単な説明】
【００６１】
【図１】本発明の実施の形態によるテープカセット１の分解斜視図である。
【図２】テープカセット１の平面図である。
【図３】フロントリッド１１による空間部７の閉塞状態を示すテープカセット１の要部側断面図である。
【図４】フロントリッド１１による空間部７の開放状態を示すテープカセット１の要部側断面図である。
【図５】図３の要部の拡大図である。
【図６】図５に示す構成の変形例を示す図である。
【図７】フロントリッド１１１の開閉動作を説明する従来のテープカセットの要部斜視図である。
【図８】フロントリッド１１１による空間部１０７の閉塞状態を示す従来のテープカセット１０１の要部側断面図である。
【図９】フロントリッド１１１による空間部１０７の開放状態を示す従来のテープカセット１０１の要部側断面図である。
【符号の説明】
【００６２】
１…テープカセット、２…上シェル、３…下シェル、４…カセット本体、４ｔ…傾斜面、５…磁気テープ、６…テープリール、７…空間部、８…テープ引出し部、１１…フロントリッド、１２…バックリッド、１２Ａ…天蓋部、１２ｅ…後端部、１２ｔ…傾斜面、１２Ｂ…脚部、２５…回動軸、２９…ネジ部材、３１…開口部、３２…軸部、３３…カムボス、３６…補強リブ、３７…ネジ孔、４１…斜面部、４２…平面部、４３…曲面部、４４…ニゲ。
【図１】
2005196823.tif 000003
【図２】
2005196823.tif 000004
【図３】
2005196823.tif 000005
【図４】
2005196823.tif 000006
【図５】
2005196823.tif 000007
【図６】
2005196823.tif 000008
【図７】
2005196823.tif 000009
【図８】
2005196823.tif 000010
【図９】
2005196823.tif 000011